(57)【要約】      （修正有）【課題】作業性の低下を抑制しつつ、調理台を用いて、より安全に調理できる仕切りを提供する。【解決手段】仕切り１１は、調理台１０１を挟んで床から支える２本の第１の脚部４２−１および調理台の上面の上の空間を２つに仕切るように配置される長方形状の第１の枠部４１からなる第１の骨組み３１と、調理台の上面から支える２つの第２の脚部７４−１、７４−２および第１の骨組みで仕切られた調理台の上面の上の空間のそれぞれを２つに仕切るように配置される長方形状であって、第１の枠部の高さと概ね同じ高さの第２の枠部からなる第２の骨組み３２と、第１の骨組みおよび第２の骨組みのそれぞれに装着されて、調理台の上面の上の空間を仕切る透明の難燃性の樹脂からなるフィルム２２と、第２の骨組みのコンロに隣接する部分に装着され、第２の骨組みをコンロの熱から断熱する断熱材２４とを備える。【選択図】図１
0003230611.tif 000002
【実用新案登録請求の範囲】
【請求項１】
コンロが隣接されている調理台であって、上面が長方形状の調理台に設置して、前記調理台の前記上面の上の空間を仕切る仕切りにおいて、
前記調理台を挟んで床から支える２本の第１の脚部および前記調理台の前記上面の上の空間を２つに仕切るように配置される長方形状の第１の枠部からなる第１の骨組みと、
前記調理台の前記上面から支える２つの第２の脚部および前記第１の骨組みで仕切られた前記調理台の前記上面の上の空間のそれぞれを２つに仕切るように配置される長方形状であって、前記第１の枠部の高さと概ね同じ高さの第２の枠部からなる第２の骨組みと、
前記第１の骨組みおよび前記第２の骨組みのそれぞれに装着されて、前記調理台の前記上面の上の空間を仕切る透明の難燃性の樹脂からなるフィルムと、
前記第２の骨組みの前記コンロに隣接する部分に装着され、前記第２の骨組みを前記コンロの熱から断熱する断熱材と
を備え、
前記第１の骨組みの前記第１の枠部の横方向の中央部分と前記第２の骨組みの前記第２の枠部の横方向の中央部分とが、回転軸により回動可能に接続されている
仕切り。
【請求項２】
請求項１に記載の仕切りにおいて、
前記フィルムは、前記フィルムを前記第１の枠部または前記第２の枠部に挟み込んで留める留め具で前記第１の骨組みまたは前記第２の骨組みのそれぞれに装着されている
仕切り。
【請求項３】
請求項１に記載の仕切りにおいて、
前記第２の骨組みは、テレスコピック構造および前記テレスコピック構造の繋ぎ目を嵌め合いにより固定する固定具により前記第２の脚部を伸縮して固定する機構を備える
仕切り。
【請求項４】
請求項１に記載の仕切りにおいて、
前記第２の骨組みは、前記第２の枠部の部分のうち、横方向の部分を伸縮するテレスコピック構造および前記テレスコピック構造の繋ぎ目を締め付けて固定する固定具により前記第２の枠部の横方向の部分を伸縮して固定する機構を備える
仕切り。
【請求項５】
請求項１に記載の仕切りにおいて、
前記第１の骨組みは、テレスコピック構造および前記テレスコピック構造の繋ぎ目を締め付けて固定する固定具により前記第１の脚部を伸縮して固定する機構を備える
仕切り。
【請求項６】
請求項１に記載の仕切りにおいて、
前記第１の骨組みと前記第２の骨組みとは、前記第１の枠部の横方向の部分と前記第２の枠部の横方向の部分とが重なり合うまで回動可能に接続されている
仕切り。
【請求項７】
請求項１に記載の仕切りにおいて、
前記第１の骨組みおよび前記第２の骨組みは、アルミニウム合金の丸パイプで形成されている
仕切り。
【考案の詳細な説明】
【技術分野】
【０００１】
本考案は仕切りに関し、特に、飛沫の拡散を抑制する仕切りに関する。
【背景技術】
【０００２】
調理台で調理する場合、飛沫の対策として、マスクやフェイスガードが用いられている。
【０００３】
従来、外来者等に対して応対者が対応するための対面用パーテーションであって、正面板と、該正面板の左右両端に連結する一対の対向した側面板と、を備え、該側面板は、半透明板からなり、該正面板は、少なくとも中央部が透明板からなることを特徴とする対面用パーテーションが提案されている（例えば、特許文献１参照）。
【０００４】
また、左右の支柱と、左右の支柱間の上側に架設される水平部材と、左右の支柱をカウンターまたはテーブルの上面に安定姿勢に保持する支持部を備えるスタンド本体と、透視性を備え、上方から前記スタンド本体の水平部材および左右の支柱に対し、当該左右の支柱の途中まで、カウンターまたはテーブルの上面との間に対面作業用の対面開口部を残して装着され、使用後に当該スタンド本体から上方に取り外し可能なフィルム状透視カバーを備えることを特徴とする飛沫防止スタンドが提案されている（例えば、特許文献２参照）。
【先行技術文献】
【特許文献】
【０００５】
【特許文献１】登録実用新案第３２２７７９４号公報
【特許文献２】登録実用新案第３２２７４８８号公報
【考案の概要】
【考案が解決しようとする課題】
【０００６】
しかしながら、調理台で調理する場合、パーテーションを用いようとして、調理台の上に通常のパーテーションを置くと、調理台の上のスペースが狭くなり、作業性が阻害される。また、調理台を挟んでの料理や料理の材料のやり取りが難しくなってしまう。
【０００７】
さらに、調理台にコンロが隣接されている場合、パーテーションに火が移る恐れがある。
【０００８】
本考案は、このような状況に鑑みてなされたものであり、作業性の低下を抑制しつつ、調理台を用いて、より安全に調理できるようにするものである。
【課題を解決するための手段】
【０００９】
本考案の一側面の仕切りは、コンロが隣接されている調理台であって、上面が長方形状の調理台に設置して、前記調理台の前記上面の上の空間を仕切る仕切りであって、前記調理台を挟んで床から支える２本の第１の脚部および前記調理台の前記上面の上の空間を２つに仕切るように配置される長方形状の第１の枠部からなる第１の骨組みと、前記調理台の前記上面から支える２つの第２の脚部および前記第１の骨組みで仕切られた前記調理台の前記上面の上の空間のそれぞれを２つに仕切るように配置される長方形状であって、前記第１の枠部の高さと概ね同じ高さの第２の枠部からなる第２の骨組みと、前記第１の骨組みおよび前記第２の骨組みのそれぞれに装着されて、前記調理台の前記上面の上の空間を仕切る透明の難燃性の樹脂からなるフィルムと、前記第２の骨組みの前記コンロに隣接する部分に装着され、前記第２の骨組みを前記コンロの熱から断熱する断熱材とを備え、前記第１の骨組みの前記第１の枠部の横方向の中央部分と前記第２の骨組みの前記第２の枠部の横方向の中央部分とが、回転軸により回動可能に接続されている。
【００１０】
前記フィルムを、前記フィルムを前記第１の枠部または前記第２の枠部に挟み込んで留める留め具で前記第１の骨組みまたは前記第２の骨組みのそれぞれに装着することができる。
【００１１】
前記第２の骨組みに、テレスコピック構造および前記テレスコピック構造の繋ぎ目を嵌め合いにより固定する固定具により前記第２の脚部を伸縮して固定する機構を設けることができる。
【００１２】
前記第２の骨組みに、前記第２の枠部の部分のうち、横方向の部分を伸縮するテレスコピック構造および前記テレスコピック構造の繋ぎ目を締め付けて固定する固定具により前記第２の枠部の横方向の部分を伸縮して固定する機構を設けることができる。
【００１３】
前記第１の骨組みに、テレスコピック構造および前記テレスコピック構造の繋ぎ目を締め付けて固定する固定具により前記第１の脚部を伸縮して固定する機構を設けることができる。
【００１４】
前記第１の骨組みと前記第２の骨組みとを、前記第１の枠部の横方向の部分と前記第２の枠部の横方向の部分とが重なり合うまで回動可能に接続することができる。
【００１５】
前記第１の骨組みおよび前記第２の骨組みを、アルミニウム合金の丸パイプで形成することができる。
【考案の効果】
【００１６】
以上のように、本考案の一側面によれば、作業性の低下を抑制しつつ、調理台を用いて、より安全に調理できるようになる。
【図面の簡単な説明】
【００１７】
【図１】パーテーション１１の使用状態を示す斜視図である。
【図２】フレーム２１の正面図である。
【図３】フレーム２１の右側面図である。
【図４】フレーム２１の平面図である。
【図５】畳んだ状態のフレーム２１の正面図である。
【図６】畳んだ状態のフレーム２１の平面図である。
【図７】留め具２３の構成を示す図である。
【図８】断熱材２４の構成を示す図である。
【考案を実施するための形態】
【００１８】
以下に本考案の実施の形態を説明するが、本考案の構成要件と、考案の詳細な説明に記載の実施の形態との対応関係を例示すると、次のようになる。この記載は、本考案をサポートする実施の形態が、考案の詳細な説明に記載されていることを確認するためのものである。従って、考案の詳細な説明中には記載されているが、本考案の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本考案の一側面の仕切りは、コンロが隣接されている調理台であって、上面が長方形状の調理台に設置して、前記調理台の前記上面の上の空間を仕切る仕切り（例えば、図１のパーテーション１１）であって、前記調理台を挟んで床から支える２本の第１の脚部および前記調理台の前記上面の上の空間を２つに仕切るように配置される長方形状の第１の枠部からなる第１の骨組み（例えば、図１の床上フレーム３１）と、前記調理台の前記上面から支える２つの第２の脚部および前記第１の骨組みで仕切られた前記調理台の前記上面の上の空間のそれぞれを２つに仕切るように配置される長方形状であって、前記第１の枠部の高さと概ね同じ高さの第２の枠部からなる第２の骨組み（例えば、図１の台上フレーム３２）と、前記第１の骨組みおよび前記第２の骨組みのそれぞれに装着されて、前記調理台の前記上面の上の空間を仕切る透明の難燃性の樹脂からなるフィルム（例えば、図１のフィルム２２）と、前記第２の骨組みの前記コンロに隣接する部分に装着され、前記第２の骨組みを前記コンロの熱から断熱する断熱材（例えば、図１の断熱材２４）とを備え、前記第１の骨組みの前記第１の枠部の横方向の中央部分と前記第２の骨組みの前記第２の枠部の横方向の中央部分とが、回転軸により回動可能に接続されている。
【００２０】
以下、図１乃至図８を参照して、本考案の一実施の形態のパーテーション１１を説明する。
【００２１】
図１は、パーテーション１１の使用状態を示す斜視図である。図１において、３次元空間（直交座標空間）を表すＸ軸、Ｙ軸、およびＺ軸からなる座標軸で示される方向のうち、図１中の左上と右下とを結ぶ方向はＸ軸方向を示し、図１中の左下と右上とを結ぶ方向はＹ軸方向を示し、図１中の上下方向はＺ軸方向を示す。なお、左上方向がＸ軸の正の方向であり、左下方向がＹ軸の正の方向であり、上方向がＺ軸の正の方向である。なお、以下、Ｚ軸の正の方向を上側、Ｚ軸の負の方向を下側、Ｙ軸の正の方向を前側、Ｙ軸の負の方向を後側、Ｘ軸の正の方向を左側、Ｘ軸の負の方向を右側とも称する。また、Ｘ軸の方向を単に左右方向とも称し、Ｙ軸の方向を単に前後方向とも称し、Ｚ軸の方向を単に上下方向とも称する。さらに、Ｘ軸およびＹ軸に平行な面に沿う方向を単に水平方向または横方向とも称する。図２乃至図６において同様である。
【００２２】
パーテーション１１は、調理台１０１に設置されて、調理台１０１の上面の上の空間を仕切る。調理台１０１には、コンロ１２１および流し台１２２が隣接されている。パーテーション１１は、仕切りの一例であり、調理台１０１の上面の上の空間を４つの空間に仕切る。パーテーション１１は、調理台１０１の上面の上の空間を仕切ることで、調理台１０１で調理する調理者をウィルスや細菌を含む飛沫から保護する。例えば、パーテーション１１は、調理者のうちのいずれか1人が咳やくしゃみをして、飛沫を飛ばした場合、他の調理者を飛沫から保護する。
【００２３】
パーテーション１１は、フレーム２１、フィルム２２、留め具２３および断熱材２４を含み構成されている。フレーム２１は、フィルム２２を支えて、調理台１０１の上面の上の空間を仕切る。フィルム２２は、フレーム２１に装着されて、飛沫を遮る。留め具２３は、フレーム２１にフィルム２２を挟み込んで留める。断熱材２４は、フレーム２１のコンロ１２１に隣接する部分に装着され、フレーム２１をコンロ１２１の熱から断熱する。
【００２４】
次に、フレーム２１の詳細について説明する。図２は、フレーム２１の正面図である。図３は、フレーム２１の右側面図である。図４は、フレーム２１の平面図である。以下、図１乃至図４を参照して、フレーム２１の詳細について説明する。
【００２５】
フレーム２１は、床上フレーム３１、台上フレーム３２並びに蝶ネジ３３−１および３３−２を含み構成されている。床上フレーム３１は、アルミニウム合金の丸パイプで形成されている。床上フレーム３１は、調理台１０１の上面を挟んで床から支える。床上フレーム３１は、調理台１０１の上面の上の空間を２つに仕切るように配置される。台上フレーム３２は、アルミニウム合金の丸パイプで形成されている。台上フレーム３２は、調理台１０１の上面から支える。台上フレーム３２は、床上フレーム３１で仕切られた調理台１０１の上面の上の空間のそれぞれを２つに仕切るように配置される。床上フレーム３１の横方向の中央部分と台上フレーム３２の横方向の中央部分とは、蝶ネジ３３−１および３３−２によって、接続されている。蝶ネジ３３−１は、いわゆる蝶ナットであり、床上フレーム３１の上側と、台上フレーム３２の上側とを上下方向に貫通するボルトに捻じ込まれて、床上フレーム３１の上側と、台上フレーム３２の上側とを接続する。蝶ネジ３３−２は、いわゆる蝶ナットであり、床上フレーム３１の下側であって、調理台１０１の上面の上側と、台上フレーム３２の下側とを上下方向に貫通するボルトに捻じ込まれて、床上フレーム３１の下側と、台上フレーム３２の下側とを接続する。床上フレーム３１の上側および台上フレーム３２の上側を上下方向に貫通するボルトと、床上フレーム３１の下側であって、調理台１０１の上面の上側および台上フレーム３２の下側を上下方向に貫通するボルトとは、同軸とされている。従って、蝶ネジ３３−１および３３−２を緩めることにより、床上フレーム３１に対して台上フレーム３２を回動させることができるようになり、蝶ネジ３３−１および３３−２を締めることにより、床上フレーム３１に対して台上フレーム３２を固定することができる。
【００２６】
次に、床上フレーム３１の詳細を説明する。床上フレーム３１は、枠部４１並びに脚部４２−１および４２−２を含み構成されている。枠部４１は、第１の骨組みの第１の枠部の一例であり、長方形状の枠状に形成されている。枠部４１は、調理台１０１の上面の上の空間を２つに仕切るように配置される。枠部４１は、上枠５１、中枠５２および下枠５３を含み構成されている。上枠５１は、水平方向に長手方向が配置されるパイプおよび水平方向に長手方向が配置されるパイプの両側の端部にそれぞれ接続されている上下方向に長手方向が配置されるパイプから、コの字状に形成されている。例えば、上枠５１は、1本のパイプをコの字状に曲げて形成されている。中枠５２は、上下方向に長手が配置されるパイプからなり、上枠５１の水平方向のパイプの横方向の中央部分と下枠５３の横方向の中央部分とを上下方向に接続する。下枠５３は、水平方向に長手方向が配置されるパイプからなり、下枠５３の両側の端部は、それぞれ、上枠５１の上下方向のパイプの下端に接続されている。すなわち、枠部４１は、上枠５１、中枠５２および下枠５３によって、９０度傾けた日の字状に形成されている。
【００２７】
枠部４１には、フィルム２２が張られる。フィルム２２は、枠部４１を上下方向および前後方向に塞ぐ。言い換えれば、枠部４１に張られたフィルム２２は、空間を左右に分ける。すなわち、上下方向には、上枠５１の水平方向のパイプと下枠５３との間をわたり、横方向には、上枠５１の２本の上下方向のパイプの間をわたるように枠部４１にフィルム２２が張られる。この場合、例えば、フィルム２２は、留め具２３によって上枠５１に挟み込まれて留められる。
【００２８】
脚部４２−１は、枠部４１の前の下側に接続されている。脚部４２−１は、枠部４１を床から支える。脚部４２−２は、枠部４１の後の下側に接続されている。脚部４２−２は、枠部４１を床から支える。脚部４２−１および４２−２は、調理台１０１を挟んで床から枠部４１を支える。脚部４２−１および４２−２は、第１の骨組みの第１の脚部の一例である。
【００２９】
脚部４２−１は、テレスコピック部６１−１、丸板６２−１および固定具６３−１を含み構成されている。テレスコピック部６１−１は、中空の丸パイプの内側に、中空の丸パイプの内径に概ね等しい外径の丸パイプが内蔵され、伸び縮みできる、いわゆるテレスコピック構造とされている。テレスコピック部６１−１の上側の端部は、枠部４１の前の下側に接続されている。テレスコピック部６１−１の下側の端部は、丸板６２−１に接続されている。丸板６２−１は、円形の板であり、円形の面が床に接するようにテレスコピック部６１−１の下側の端部に接続されている。固定具６３−１は、パイプ状に形成され、パイプ状の部分の周に接するように設けられているネジが締めこまれると、パイプ状の内径が狭くなり、パイプ状の部分の周に接するように設けられているネジが緩められると、パイプ状の内径が広くなるように構成されている。固定具６３−１には、テレスコピック部６１−１が通される。固定具６３−１は、テレスコピック部６１−１の繋ぎ目を締め付けて固定する。すなわち、固定具６３−１が緩められている場合、テレスコピック部６１−１を伸び縮みさせることができ、固定具６３−１が締め付けられている場合、テレスコピック部６１−１の長さが固定される。
【００３０】
脚部４２−２は、テレスコピック部６１−２、丸板６２−２および固定具６３−２を含み構成されている。テレスコピック部６１−２は、中空の丸パイプの内側に、中空の丸パイプの内径に概ね等しい外径の丸パイプが内蔵され、伸び縮みできる、いわゆるテレスコピック構造とされている。テレスコピック部６１−２の上側の端部は、枠部４１の後の下側に接続されている。テレスコピック部６１−２の下側の端部は、丸板６２−２に接続されている。丸板６２−２は、円形の板であり、円形の面が床に接するようにテレスコピック部６１−２の下側の端部に接続されている。固定具６３−２は、パイプ状に形成され、パイプ状の部分の周に接するように設けられているネジが締めこまれると、パイプ状の内径が狭くなり、パイプ状の部分の周に接するように設けられているネジが緩められると、パイプ状の内径が広くなるように構成されている。固定具６３−２には、テレスコピック部６１−２が通される。固定具６３−２は、テレスコピック部６１−２の繋ぎ目を締め付けて固定する。すなわち、固定具６３−２が緩められている場合、テレスコピック部６１−２を伸び縮みさせることができ、固定具６３−２が締め付けられている場合、テレスコピック部６１−２の長さが固定される。
【００３１】
このように、床上フレーム３１は、調理台１０１を挟んで床から支える脚部４２−１および４２−２並びに調理台１０１の上面の上の空間を２つに仕切るように配置される長方形状の枠部４１からなる。
【００３２】
床上フレーム３１は、テレスコピック構造並びにテレスコピック構造の繋ぎ目を締め付けて固定する固定具６３−１および６３−２により脚部４２−１および４２−２を伸縮して固定する機構を備える。
【００３３】
例えば、床上フレーム３１は、アルミニウム合金の丸パイプで形成されている。
【００３４】
次に、台上フレーム３２の詳細を説明する。台上フレーム３２は、上枠７１、下枠７２、横枠７３−１および７３−２、脚部７４−１および７４−２、丸板７５−１および７５−２、固定部７６−１および７６−２並びに固定具７７−１−１、７７−１−２、７７−２−１および７７−２−２を含み構成されている。なお、上枠７１、下枠７２並びに横枠７３−１および７３−２は、第２の骨組みの第２の枠部の一例である。脚部７４−１および７４−２は、第２の骨組みの第２の脚部の一例である。
【００３５】
上枠７１は、台上フレーム３２の上側に設けられている、水平方向に長手方向が配置されるパイプである。上枠７１の両端は、それぞれ、中空の丸パイプの内側に、中空の丸パイプの内径に概ね等しい外径の丸パイプが内蔵され、伸び縮みできる、いわゆるテレスコピック構造とされている。上枠７１の長手方向の中央部分と、上枠５１の長手方向の中央部分とを上下方向に貫通するボルトが、蝶ネジ３３−１に螺合されている。例えば、上枠７１は、上枠５１の上側に配置されている。
【００３６】
下枠７２は、台上フレーム３２の下側に設けられている、水平方向に長手方向が配置されるパイプである。下枠７２の両端は、それぞれ、中空の丸パイプの内側に、中空の丸パイプの内径に概ね等しい外径の丸パイプが内蔵され、伸び縮みできる、いわゆるテレスコピック構造とされている。上枠７１の左側の端部は、横枠７３−１の上端に接続されている。下枠７２の左側の端部は、横枠７３−１の下端に接続されている。横枠７３−１は、上枠７１の左側の端部と下枠７２の左側の端部とを結ぶ。例えば、横枠７３−１の上端側は、９０度曲げられている。
【００３７】
上枠７１の右側の端部は、横枠７３−２の上端に接続されている。下枠７２の右側の端部は、横枠７３−２の下端に接続されている。横枠７３−２は、上枠７１の右側の端部と下枠７２の模擬側の端部とを結ぶ。例えば、横枠７３−２の上端側は、９０度曲げられている。下枠７２の長手方向の中央部分と、下枠５３の長手方向の中央部分とを上下方向に貫通するボルトが、蝶ネジ３３−２に螺合されている。例えば、下枠７２は、下枠５３の下側に配置されている。
【００３８】
上枠７１、下枠７２並びに横枠７３−１および７３−２は、全体として長方形状に形成されている。横枠７３−１および７３−２の高さは、中枠５２の高さとほぼ同じとされている。すなわち、上枠７１、下枠７２並びに横枠７３−１および７３−２からなる長方形状の高さは、枠部４１の高さとほぼ同じとされている。
【００３９】
上枠７１、下枠７２並びに横枠７３−１および７３−２には、フィルム２２が張られる。フィルム２２は、上枠７１、下枠７２並びに横枠７３−１および７３−２を上下方向および左右方向に塞ぐ。言い換えれば、上枠７１、下枠７２並びに横枠７３−１および７３−２に張られたフィルム２２は、空間を前後に分ける。すなわち、上下方向には、上枠７１と下枠７２との間をわたり、横方向には、横枠７３−１から中枠５２までと中枠５２から横枠７３−２までとの間をわたるように上枠７１、下枠７２並びに横枠７３−１および７３−２にフィルム２２が張られる。この場合、例えば、フィルム２２は、留め具２３によって上枠７１または横枠７３−１若しくは７３−２に挟み込まれて留められる。
【００４０】
脚部７４−１は、上下方向に長手方向が配置されるパイプであり、脚部７４−１の上端側は、横枠７３−１の下端に伸縮自在に挿入されている。すなわち、横枠７３−１の下端側と、脚部７４−１とは、中空の丸パイプである横枠７３−１の内側に、横枠７３−１の内径に概ね等しい外径の丸パイプである脚部７４−１が内蔵され、伸び縮みできる、いわゆるテレスコピック構造とされている。脚部７４−１の下側の端部は、丸板７５−１に接続されている。丸板７５−１は、円形の板であり、円形の面が調理台１０１の上面に接するように脚部７４−１の下側の端部に接続されている。固定部７６−１は、プッシュボタン式伸縮継手などとも称される。固定部７６−１は、嵌め合いにより横枠７３−１に脚部７４−１を固定する。固定部７６−１は、脚部７４−１の上側に設けられている球であって、内蔵されているコイルバネで外向きに押圧されている球と、横枠７３−１の左側に設けられている、球が嵌り込む孔からなる。横枠７３−１の左側に設けられている、球が嵌り込む孔は、複数設けられている。固定部７６−１の球を押圧しながら、横枠７３−１に対して脚部７４−１を伸縮させて、横枠７３−１の左側に設けられているいずれかの孔に球を嵌らせることにより、脚部７４−１の長さを調整して、その長さを固定することができる。
【００４１】
脚部７４−２は、上下方向に長手方向が配置されるパイプであり、脚部７４−２の上端側は、横枠７３−２の下端に伸縮自在に挿入されている。すなわち、横枠７３−２の下端側と、脚部７４−２とは、中空の丸パイプである横枠７３−２の内側に、横枠７３−２の内径に概ね等しい外径の丸パイプである脚部７４−２が内蔵され、伸び縮みできる、いわゆるテレスコピック構造とされている。脚部７４−２の下側の端部は、丸板７５−２に接続されている。丸板７５−２は、円形の板であり、円形の面が調理台１０１の上面に接するように脚部７４−２の下側の端部に接続されている。固定部７６−２は、プッシュボタン式伸縮継手などとも称される。固定部７６−２は、嵌め合いにより横枠７３−２に脚部７４−２を固定する。固定部７６−２は、脚部７４−２の上側に設けられている球であって、内蔵されているコイルバネで外向きに押圧されている球と、横枠７３−２の右側に設けられている、球が嵌り込む孔からなる。横枠７３−２の右側に設けられている、球が嵌り込む孔は、複数設けられている。固定部７６−２の球を押圧しながら、横枠７３−２に対して脚部７４−２を伸縮させて、横枠７３−２の右側に設けられているいずれかの孔に球を嵌らせることにより、脚部７４−２の長さを調整して、その長さを固定することができる。
【００４２】
下枠７２の左側の端部が、横枠７３−１の下端に接続され、下枠７２の右側の端部が、横枠７３−２の下端に接続されているので、脚部７４−１の長さおよび脚部７４−２の長さを調整することにより、調理台１０１の上面から下枠７２までの距離を調整することができる。すなわち、調理台１０１の上面と下枠７２との隙間の高さを調整することができる。これにより、調理台１０１を挟んでの料理や料理の材料のやり取りが簡単にできる。例えば、調理台１０１を挟んで、皿に盛りつけられている料理をやり取りする場合、皿に盛りつけられている料理が通る程度に、調理台１０１の上面と下枠７２との隙間の高さが低くされる。また、例えば、調理台１０１を挟んで、料理の材料のやり取りする場合、野菜や肉などの料理の材料が通るように、調理台１０１の上面と下枠７２との隙間の高さが高くされる。
【００４３】
固定具７７−１−１、７７−１−２、７７−２−１および７７−２−２は、それぞれ、パイプ状に形成され、パイプ状の部分の周に接するように設けられているネジが締めこまれると、パイプ状の内径が狭くなり、パイプ状の部分の周に接するように設けられているネジが緩められると、パイプ状の内径が広くなるように構成されている。
【００４４】
固定具７７−１−１には、テレスコピック構造とされている上枠７１の左側の端部が通される。固定具７７−１−１は、テレスコピック構造とされている上枠７１の左側の繋ぎ目を締め付けて固定する。すなわち、固定具７７−１−１が緩められている場合、テレスコピック構造とされている上枠７１の左側を伸び縮みさせることができ、固定具７７−１−１が締め付けられている場合、上枠７１の左側の長さが固定される。
【００４５】
固定具７７−１−２には、テレスコピック構造とされている下枠７２の左側の端部が通される。固定具７７−１−２は、テレスコピック構造とされている下枠７２の左側の繋ぎ目を締め付けて固定する。すなわち、固定具７７−１−２が緩められている場合、テレスコピック構造とされている下枠７２の左側を伸び縮みさせることができ、固定具７７−１−２が締め付けられている場合、下枠７２の左側の長さが固定される。
【００４６】
固定具７７−２−１には、テレスコピック構造とされている上枠７１の右側の端部が通される。固定具７７−２−１は、テレスコピック構造とされている上枠７１の右側の繋ぎ目を締め付けて固定する。すなわち、固定具７７−２−１が緩められている場合、テレスコピック構造とされている上枠７１の右側を伸び縮みさせることができ、固定具７７−２−１が締め付けられている場合、上枠７１の右側の長さが固定される。
【００４７】
固定具７７−２−２には、テレスコピック構造とされている下枠７２の右側の端部が通される。固定具７７−２−２は、テレスコピック構造とされている下枠７２の右側の繋ぎ目を締め付けて固定する。すなわち、固定具７７−２−２が緩められている場合、テレスコピック構造とされている下枠７２の右側を伸び縮みさせることができ、固定具７７−２−２が締め付けられている場合、下枠７２の右側の長さが固定される。
【００４８】
このように、台上フレーム３２は、調理台１０１の上面から支える脚部７４−１および７４−２並びに床上フレーム３１で仕切られた調理台１０１の上面の上の空間のそれぞれを２つに仕切るように配置される長方形状であって、調理台１０１の枠部４１の高さと概ね同じ高さの第２の枠部である上枠７１、下枠７２並びに横枠７３−１および７３−２からなる。
【００４９】
台上フレーム３２は、テレスコピック構造並びにテレスコピック構造の繋ぎ目を嵌め合いにより固定する固定部７６−１および７６−２により脚部７４−１および７４−２を伸縮して固定する機構を備える。
【００５０】
また、台上フレーム３２は、第２の枠部の部分である上枠７１、下枠７２並びに横枠７３−１および７３−２のうち、横方向の部分である上枠７１および下枠７２を伸縮するテレスコピック構造並びにテレスコピック構造の繋ぎ目を締め付けて固定する固定具７７−１−１、７７−１−２、７７−２−１および７７−２−２により第２の枠部の部分である上枠７１、下枠７２並びに横枠７３−１および７３−２の横方向の部分を伸縮して固定する機構を備える。
【００５１】
例えば、台上フレーム３２は、アルミニウム合金の丸パイプで形成されている。
【００５２】
次に、持ち運びのために、畳んだ状態のフレーム２１について説明する。図５は、畳んだ状態のフレーム２１の正面図である。図６は、畳んだ状態のフレーム２１の平面図である。
【００５３】
固定具６３−１および６３−２が、それぞれ、緩められて、脚部４２−１のテレスコピック部６１−１および脚部４２−２のテレスコピック部６１−２がそれぞれ縮められる。そして、脚部４２−１のテレスコピック部６１−１および脚部４２−２のテレスコピック部６１−２がそれぞれ縮められた状態で、固定具６３−１および６３−２が、それぞれ、締め付けられる。また、固定具７７−１−１、７７−１−２、７７−２−１および７７−２−２が、それぞれ、緩められて、上枠７１および下枠７２が縮められる。そして、上枠７１および下枠７２が縮められた状態で、固定具７７−１−１、７７−１−２、７７−２−１および７７−２−２が、それぞれ、締め付けられる。
【００５４】
また、固定部７６−１の球を押圧しながら、脚部７４−１を横枠７３−１に格納させて、脚部７４−１を縮めて、横枠７３−１の左側に設けられているいずれかの孔に固定部７６−１の球を嵌らせて、脚部７４−１を固定する。固定部７６−２の球を押圧しながら、脚部７４−２を横枠７３−２に格納させて、脚部７４−２を縮めて、横枠７３−２の右側に設けられているいずれかの孔に固定部７６−２の球を嵌らせて、脚部７４−２を固定する。
【００５５】
蝶ネジ３３−１および蝶ネジ３３−２がそれぞれ緩められて、床上フレーム３１の枠部４１の上枠５１と台上フレーム３２の上枠７１とが重なり合い、床上フレーム３１の枠部４１の下枠５３と台上フレーム３２の下枠７２とが重なり合うまで、蝶ネジ３３−１に捻じ込まれているボルトおよび蝶ネジ３３−２に捻じ込まれているボルトを軸にして、床上フレーム３１と台上フレーム３２とが回動させられる。そして、蝶ネジ３３−１および蝶ネジ３３−２がそれぞれ締め付けられる。
【００５６】
このように、床上フレーム３１と台上フレーム３２とは、枠部４１の横方向の部分と第２の枠部である上枠７１、下枠７２並びに横枠７３−１および７３−２の横方向の部分とが重なり合うまで回動可能に接続されている。
【００５７】
このようにすることで、フレーム２１が占有する空間の体積が小さくなり、フレーム２１の持ち運びが容易になる。なお、蝶ネジ３３−１および３３−２を取り外して、床上フレーム３１と台上フレーム３２とを別体にして分割し、持ち運びするようにしてもよい。
【００５８】
次に、フィルム２２について説明する。フィルム２２は、透明の難燃性の樹脂からなる。例えば、フィルム２２は、難燃性のビニル樹脂（ポリ塩化ビニル）からなる。フィルム２２は、床上フレーム３１および台上フレーム３２のそれぞれに装着されて、調理台１０１の上面の上の空間を仕切る。なお、フィルム２２は、難燃性のビニル樹脂に限らず、ポリエチレンまたはポリカーボネートの透明の難燃性の樹脂またはガラス繊維シートなどでも良い。さらに、フィルム２２は、不燃または耐熱の材料で形成するようにしてもよい。
【００５９】
次に、留め具２３について説明する。図７は、留め具２３の構成を示す図である。図７（Ａ）は、留め具２３の構成を示す正面図である。図７（Ｂ）は、留め具２３の構成を示す左側面図である。図７（Ｃ）は、留め具２３の構成を示す背面図である。
【００６０】
留め具２３は、パッカーなどともに称される。例えば、留め具２３は、ビニルハウスでビニルを留めるのに利用されている。留め具２３は、樹脂および金属により形成されている。留め具２３は、側面の一部が開いている中空の筒状であって、両側の底側が開いている筒状に形成されている。言い換えれば、留め具２３は、Ｃ字状の断面の棒状に形成されているとも言える。留め具２３の外形部分は、樹脂から形成され、内側に、Ｃ字状の金属バネが２つ設けられている。
【００６１】
留め具２３は、フィルム２２を巻き付けたフレーム２１を挟み込むことで、フレーム２１にフィルム２２を挟み込んで留める。留め具２３は、フレーム２１の任意の部分で、フレーム２１にフィルム２２を挟み込んで留める。
【００６２】
なお、留め具２３は、紙の料理レシピのクリップとしても使用することができる。この場合、紙の料理レシピを、手に持ったり、作業台の上に置いたりする場合に比較して、見やすく、また、作業の邪魔にならない。
【００６３】
このように、フィルム２２は、フィルム２２を枠部４１または第２の枠部の部分である上枠７１、下枠７２並びに横枠７３−１および７３−２に挟み込んで留める留め具２３で床上フレーム３１または台上フレーム３２のそれぞれに装着されている。
【００６４】
次に、断熱材２４について説明する。図８は、断熱材２４の構成を示す図である。図８（Ａ）は、断熱材２４の構成を示す正面図である。図８（Ｂ）は、断熱材２４の構成を示す左側面図である。図８（Ｃ）は、断熱材２４の構成を示す背面図である。
【００６５】
断熱材２４は、グラスファイバやロックウールなどの難燃性の断熱材からなる。断熱材２４は、配管などの断熱に用いられる断熱材から形成される。断熱材２４は、所定の厚さの管状に形成されている。言い換えれば、断熱材２４は、両側の底側が開いている筒状に形成されている。また、筒状の断熱材２４の側面（すなわち、正面）には、長手方向に切れ目が形成されている。断熱材２４を切れ目に沿って、台上フレーム３２の所定の部分に押し付けることにより、断熱材２４は、台上フレーム３２の部分を取り囲むようにフレーム２１に装着される。なお、断熱材２４は、外側に、熱を反射するアルミフィルムを張り付けるようにしてもよい。
【００６６】
このように、断熱材２４は、台上フレーム３２のコンロ１２１に隣接する部分に装着され、台上フレーム３２をコンロ１２１の熱から断熱する。
【００６７】
なお、フレーム２１は、アルミニウム合金の丸パイプで形成されていると説明したが、角パイプでもよく、また、鋼製のパイプとしても良い。
【００６８】
このように、パーテーション１１は、コンロ１２１が隣接されている調理台１０１であって、上面が長方形状の調理台１０１に設置して、調理台１０１の上面の上の空間を仕切る。床上フレーム３１は、調理台１０１を挟んで床から支える脚部４２−１および４２−２並びに調理台１０１の上面の上の空間を２つに仕切るように配置される長方形状の枠部４１からなる。このようにすることで、パーテーション１１をより確実に自立させることができる。また、調理台１０１の上面が占有される面積をより狭くすることができる。
【００６９】
台上フレーム３２は、調理台１０１の上面から支える脚部７４−１および７４−２並びに床上フレーム３１で仕切られた調理台１０１の上面の上の空間のそれぞれを２つに仕切るように配置される長方形状であって、調理台１０１の枠部４１の高さと概ね同じ高さの第２の枠部である上枠７１、下枠７２並びに横枠７３−１および７３−２からなる。
【００７０】
フィルム２２は、床上フレーム３１および台上フレーム３２のそれぞれに装着されて、調理台１０１の上面の上の空間を仕切る透明の難燃性の樹脂からなる。断熱材２４は、台上フレーム３２のコンロ１２１に隣接する部分に装着され、台上フレーム３２をコンロ１２１の熱から断熱する。従って、火の近くでも安全に使用することができる。
【００７１】
床上フレーム３１の枠部４１の横方向の中央部分と台上フレーム３２の第２の枠部である上枠７１および下枠７２の横方向の中央部分とが、回転軸により回動可能に接続されている。
【００７２】
フィルム２２は、フィルム２２を枠部４１または上枠７１、下枠７２並びに横枠７３−１および７３−２に挟み込んで留める留め具２３で床上フレーム３１または台上フレーム３２のそれぞれに装着されている。このようにすることで、フィルム２２の交換が簡単になる。また、枠部４１にフィルム２２を装着して、上枠７１、下枠７２並びに横枠７３−１および７３−２にフィルム２２を装着すると、調理台１０１の上面の上の空間を４つに仕切ることができ、４人用として使用できる。また、枠部４１にのみフィルム２２を装着したり、上枠７１、下枠７２並びに横枠７３−１および７３−２にのみフィルム２２を装着したりすることで、調理台１０１の上面の上の空間を２つに仕切ることができ、２人用として使用できる。
【００７３】
台上フレーム３２は、テレスコピック構造並びにテレスコピック構造の繋ぎ目を嵌め合いにより固定する固定部７６−１および７６−２により脚部７４−１および７４−２を伸縮して固定する機構を備える。このようにすることで、調理台１０１の上面と下枠７２との隙間の高さを調整することができる。調理時と試食時とで、調理台１０１の上面と下枠７２との隙間の高さを変更できる。
【００７４】
また、台上フレーム３２は、第２の枠部の部分である上枠７１、下枠７２並びに横枠７３−１および７３−２のうち、横方向の部分である上枠７１および下枠７２を伸縮するテレスコピック構造並びにテレスコピック構造の繋ぎ目を締め付けて固定する固定具７７−１−１、７７−１−２、７７−２−１および７７−２−２により第２の枠部の部分である上枠７１、下枠７２並びに横枠７３−１および７３−２の横方向の部分を伸縮して固定する機構を備える。
【００７５】
床上フレーム３１は、テレスコピック構造並びにテレスコピック構造の繋ぎ目を締め付けて固定する固定具６３−１および６３−２により脚部４２−１および４２−２を伸縮して固定する機構を備える。調理台１０１の上面の高さに合わせて、パーテーション１１を設置することができる。
【００７６】
床上フレーム３１と台上フレーム３２とは、枠部４１の横方向の部分と第２の枠部である上枠７１、下枠７２並びに横枠７３−１および７３−２の横方向の部分とが重なり合うまで回動可能に接続されている。このようにすることで、運搬がしやすく、また、設置、取り外しがやりやすくなる。
【００７７】
例えば、床上フレーム３１および台上フレーム３２は、アルミニウム合金の丸パイプで形成されている。このようにすることで、より軽量に形成することができる。
【００７８】
また、本考案の実施の形態は、上述した実施の形態に限定されるものではなく、本考案の要旨を逸脱しない範囲において種々の変更が可能である。
【符号の説明】
【００７９】
１１  パーテーション，  ２１  フレーム，  ２２  フィルム，  ２３  留め具、  ２４  断熱材，  ３１  床上フレーム，  ３２  台上フレーム，  ３３−１および３３−２  蝶ネジ，  ４１  枠部，  ４２−１および４２−２  脚部，  ５１  上枠，  ５２  中枠，  ５３  下枠，  ６１−１および６１−２  テレスコピック部，  ６２−１および６２−２  丸板，  ６３−１および６３−２  固定具，  ７１  上枠，  ７２  下枠，  ７３−１および７３−２  横枠，  ７４−１および７４−２  脚部，  ７５−１および７５−２  丸板，  ７６−１および７６−２  固定部，  ７７−１−１、７７−１−２、７７−２−１および７７−２−２  固定具
【図１】
0003230611.tif 000003
【図２】
0003230611.tif 000004
【図３】
0003230611.tif 000005
【図４】
0003230611.tif 000006
【図５】
0003230611.tif 000007
【図６】
0003230611.tif 000008
【図７】
0003230611.tif 000009
【図８】
0003230611.tif 000010